(57)【要約】複数のパッド（３）を備えており、各パッドは、各ストリップ部分（４）を備えた外傷用医薬接着材を形成し、隣接する２つのストリップ部分（４）は、共通の側縁（５）と、各ストリップ部分（４）の側縁（５）を接合する端縁（６）と、２つの隣接する端縁（６）の間に形成されるストリップ境界部分（７）と、を有する連続ストリップから外傷用医薬接着材を製造する方法。この方法は、連続ストリップ（２）から少なくとも２つの異なるタイプのストリップを切断する工程を有し、この異なるタイプのストリップ部分は、ストリップ境界部分（７）が各ストリップ部分（４）の一体的な部分として組み込まれるような寸法および形状である。
2004500225.tif 000002
【特許請求の範囲】
【請求項１】
可撓性接着材フィルムの形態であり、その一方の面の延長部に沿って、複数のパッド（３）を備えており、前記パッドは互いに間隔を置いており、連続ストリップ（２）の長手方向軸線に沿って整列しており、前記各パッドは、各ストリップ部分（４）を備えた外傷用医薬接着材を形成し、２つの各隣接する前記ストリップ部分（４）は、共通の側縁（５）と、前記各ストリップ部分（４）の側縁（５）を接合する端縁（６）と、前記２つの隣接する端縁（６）の間に形成されるストリップ境界部分（７）と、を有する連続ストリップから外傷用医薬接着材を製造する方法において、前記連続ストリップ（２）から少なくとも２つの異なるタイプのストリップ部分（４）を切断する工程を有し、前記ストリップ部分は、前記ストリップ境界部分（７）の各々が前記各ストリップ部分（４）の一体的な部分として組み込まれるような寸法および形状であることを特徴とする連続ストリップから外傷用医薬接着材を製造する方法。
【請求項２】
同じタイプの前記２つの連続ストリップ部分（４）の間で、前記連続ストリップ（２）から他のタイプの少なくとも１つのストリップ部分（４）を切断することを特徴とする請求項１に記載の方法。
【請求項３】
他のタイプの前記ストリップ部分（４）の各々は、各隣接したストリップ部分（４）のストリップ境界部分（７）の少なくとも一部を組み込んでいることを特徴とする請求項２に記載の方法。
【発明の詳細な説明】
【０００１】
【発明の属する技術分野】
本発明は、人間の皮膚の傷に貼り付けられるタイプであり、人間の傷口に貼り付けられるパッドを含む可撓性フィルムのストリップから得られる外傷用医薬接着材を製造する製造方法に関する。
【０００２】
【従来の技術】
市場において、皮膚の傷に貼り付けられる種々の形状と寸法の外傷用医薬接着材があり、この外傷用医薬接着材は、医薬接着材を取り扱うための接着性のない非接着面と接着剤の領域とを備えた他の面を有する薄い可撓性フィルムのストリップによって形成されており、一般にパッドの形態の吸収材が中央に貼り付けられており、この吸収材が皮膚の傷口領域に接触するようになっている。これらの外傷用医薬接着材は、製造中、可撓性フィルムの接着材領域に解放可能に接着される保護テープを有する。外傷用医薬接着材は、所定の数、保護テープによってカバーされた互いに間隔をおいた複数のパッドをすでに含んでいる可撓性フィルムのストリップから得られ、前記ストリップは、適切な機械で外傷用医薬接着材を製造中に切断工程が施される。
【０００３】
外傷用医薬接着材の公知の製造方法において、その形状は、適当な機械の切断行程によって可撓性フィルムの同じストリップから得られ、この機械は、切断される外傷用医薬接着材のピッチ及び形状に関して調整される。外傷用医薬接着材の所定のタイプの各ストリップにおいて外傷用医薬接着材を得るために、各接着材を形成する各パッドは、各接着材の寸法の関数として、所定の間隔で可撓性ストリップに個々に配置される。前記パッドは、互いに及び接着材フィルムの各ストリップの長手方向軸線に整列し、互いに連続し隣接した２つのパッドの中心から等間隔に配置され、これは、機械の切断ピッチとして予め定義されており、常にパッドの間の同じ距離を切断する。これらの位置決めの要求は、切断機械の制限から生じる。
【０００４】
一般に矩形の外傷用医薬接着材の従来の形状において、２つの連続して隣接した外傷用医薬接着材は共通の側縁を有し、各々は、さらに、直線的な端縁を有するときに生じるようにユーザーの皮膚から不意に剥がれる危険性なく、ユーザーの皮膚にさらによく接着することができるように丸い端縁を有する。
【０００５】
端縁のこの大きな寸法は、余分な材料を生じ、切断行程中に除去され、その結果、製造上のロスを生じる。
【０００６】
外傷用医薬接着材の製造方法における公知の方法において、可撓性フィルムの連続ストリップは、その側縁に隣接して、境界ストリップ部分を有し、この境界ストリップ部分は、外傷用医薬接着材から切断されるとき、廃棄される。これらの境界ストリップ部分は、ロスを生じ、このロスは、その端縁の外傷用医薬接着材の丸い形状によって、前記外傷用医薬接着材の縁部の丸い形状及び丸さの程度によって変化する。
【０００７】
【課題を解決するための手段】
したがって、本発明の目的は、装置を改造することなく材料のロスを最小限にする、接着材フィルムの連続ストリップから、非矩形の輪郭を備えた外傷用医薬接着材を製造する方法を提供することである。
【０００８】
これら及び他の目的は、可撓性接着材フィルムの形態であり、その一方の面の延長部に沿って、複数のパッドを備えており、前記パッドは互いに間隔を置いており、連続ストリップの長手方向軸線に沿って整列しており、前記各パッドは、各ストリップ部分を備えた外傷用医薬接着材を形成し、２つの各隣接するストリップ部分は、共通の側縁と、各ストリップ部分の側縁を接合する端縁と、２つの隣接する端縁の間に形成されるストリップ境界部分と、を有する連続ストリップから外傷用医薬接着材を製造する方法において、前記連続ストリップから少なくとも２つの異なるタイプのストリップ部分を切断する工程を有し、前記ストリップ部分は、前記ストリップ境界部分の各々が各ストリップ部分の一体的な部分として組み込まれるような寸法および形状である連続ストリップから外傷用医薬接着材を製造する方法によって得られる。
【０００９】
【発明の実施の形態】
本発明は、可撓性フィルムの連続ストリップ２から形成され、そのフィルムの延長部分に沿って、複数のパッド３を貼り付ける接着面を有するタイプの外傷用医薬接着材１の製造方法に関し、これらのパッドは、互いに間隔を置いており、連続ストリップ２の長手方向軸線に沿って整列されており、各パッドは、各ストリップ部分４を有するように画成され、外傷用医薬接着材１、複数のパッド３の表面をカバーし保護する保護テープ（図示せず）が貼り付けられている。
【００１０】
各ストリップ部分４は、側縁５と端縁６とを有し、この端縁６は、側縁５を接合し、連続ストリップ２を切断するときに、各外傷用医薬接着材１の輪郭を画成する。外傷用医薬接着材１を製造するために、各パッド３は、所定の一定の距離値にわたって互い離れて連続ストリップ２の接着面の延長部に沿って自動的に個々に配置され、この距離値は、適切な機械の切断ピッチの関数として計算される。
【００１１】
各連続ストリップ２において、２つの連続して隣接したストリップ部分４の各々は、共通の側縁５を有し、境界ストリップ部分７は、２つの隣接した端縁６の間に形成され、各端縁６は、各ストリップ部分４と関連している。
【００１２】
従来技術の外傷用医薬接着材の従来の構造（図１参照）において、外傷用医薬接着材を製造する方法は、同じ連続ストリップ２において、同じ形状を有する外傷用医薬接着材１をつくり、この形状は、外傷用医薬接着材の輪郭の関数として、隣接する２つのストリップ部分４の端縁が始まる２つの隣接するストリップ部分４の間のストリップ境界部分７の領域でストリップ材料のロスを生じる。
【００１３】
ほぼ矩形の従来の輪郭を有する外傷用医薬接着材１に関して、これらのロスは、あまり適切ではない。しかしながら、外傷用医薬接着材１は、非矩形の輪郭を有するとき、これらのロスは、著しく増大する。
【００１４】
本発明によれば、外傷用医薬接着材を製造する方法は、外傷用医薬接着材１が非矩形の輪郭を有するとき、使用しないストリップ境界部分７が減少することによって、ロスを最小限にする。本発明によれば、同じ連続ストリップ２（図２）から、図３に示すように互いに対して異なる形状を有する外傷用医薬接着材１を得ることができる。
【００１５】
本発明の材料のロスを最小限にすることは、前記連続ストリップ２から少なくとも２つの異なるタイプのストリップ部分４を切断する工程を有し、このストリップ部分４は、ストリップ境界部分７が各ストリップ部分４の一体的な部分として組み込まれるような寸法及び形状である製造方法によって達成される。
【００１６】
本発明にいたる過程において、従来技術の連続して隣接するストリップ部分４は、互いに間隔を置いており、それらの間の間隔を増大することによって、各パッド３を有し、互いに間隔を置いたストリップ部分４の各々の形状に適合した形状を備えた他のストリップ部分を形成している。本発明の実施形態においては、２つの間隔を置いたストリップ部分４の間に形成された新しいストリップ部分４の各側縁５は、隣接して間隔を置いた他の側縁５と共通している。
【００１７】
本発明によれば、所定の型式のストリップ部分４から少なくとも１つの第２のタイプのストリップ部分４が形成され、これは、連続ストリップ２の切断中に得られ、隣接するストリップ部分４の少なくとも１つの境界ストリップ部分７を吸収する形状を有し、このストリップ部分４は、前記第２のタイプのストリップ部分４と共通の側縁５を有する。本発明の構造的な選択において、原理的なタイプとして所定のものであるものと異なる他のタイプのストリップ部分４の各々は、各隣接するストリップ４のストリップ境界部分７を組み込んでいる。
【００１８】
図示した実施形態において、同じ所定の非矩形の２つのストリップ部分４の間に、他の２つのタイプのストリップ部分４が設けられており、各々は、他の隣接するストリップ部分４の輪郭プロフィールの一部を補完している。
【図面の簡単な説明】
【図１】従来技術による切断前の連続ストリップの平面図であり、このストリップから点線でストリップ内に示された外傷用医薬接着材が切断される。
【図２】本発明による連続ストリップの平面図であり、このストリップから点線でストリップ内に示された外傷用医薬接着材が切断される。
【図３】図２に点線によって示された形状の連続ストリップを切断することによって得られる外傷用医薬接着材を示す図である。
【国際公開パンフレット】
2004500225.tif 000003
2004500225.tif 000004
2004500225.tif 000005
2004500225.tif 000006
2004500225.tif 000007
2004500225.tif 000008
2004500225.tif 000009
2004500225.tif 000010
2004500225.tif 000011
【国際調査報告】
2004500225.tif 000012
2004500225.tif 000013
2004500225.tif 000014